(57)【要約】  複数のタイルデスクリプターを使用してタイル処理するための装置および方法は、時間・周波数平面において複数のタイルデスクリプターを定義することと、記憶するために受信機に送られるべき前記複数のタイルデスクリプターを準備することと、前記複数のタイルデスクリプターと関連する少なくとも1つのタイルをユーザに割り当てることと、および割り当てられた少なくとも1つのタイルを使用してワイヤレス信号をユーザに送信するために、割り当てられた少なくとも1つのタイルを送信機に通知することとを具備する。1つの態様において、前記装置および方法は、符号化されたユーザメッセージを具備するワイヤレス信号を受信することと、メモリーユニットから複数のタイルデスクリプターを検索することと、および前記符号化されたユーザメッセージを得るために、複数のタイルデスクリプターを使用してワイヤレス信号を復調することとをさらに具備する。【選択図】図6
2011518498.tif 000002
【特許請求の範囲】
【請求項１】
複数のタイルデスクリプターを使用してタイル処理するための方法であって、
時間・周波数平面において前記複数のタイルデスクリプターを定義することと、
記憶のために受信機に送られるべき前記複数のタイルデスクリプターを準備することと、
前記複数のタイルデスクリプターと関連する少なくとも1つのタイルをユーザに割り当てることと、および
前記割り当てられた少なくとも1つのタイルを使用してワイヤレス信号を前記ユーザに送信するために、前記割り当てられた少なくとも1つのタイルを送信機に通知することと
を具備する方法。
【請求項２】
前記複数のタイルデスクリプターは、タイルの形、パイロットまたはパイロットクラスター位置、パイロットデスクランブリング値、パイロットクラスター逆拡散関数、変調順序、または直交層の数のうちの１つまたは複数を具備する、請求項1に記載の方法。
【請求項３】
前記ワイヤレス信号は、符号化されたユーザメッセージを具備する、請求項1に記載の方法。
【請求項４】
請求項1のステップは、送信機と通信状態にある中央エンティティによって実行される、請求項3に記載の方法。
【請求項５】
前記送信機は、基地局であり、前記受信機は、移動局である、請求項4に記載の方法。
【請求項６】
前記複数のデスクリプターおよび前記ワイヤレス信号を前記受信機に送信することをさらに具備する、請求項1に記載の方法。
【請求項７】
複数のタイルデスクリプターを使用してタイル処理するための方法であって、
ワイヤレス信号を受信することと、ここにおいて、前記ワイヤレス信号は、符号化されたユーザメッセージを具備する、
メモリーユニットから前記複数のタイルデスクリプターを検索することと、および
前記符号化されたユーザメッセージを得るために前記複数のタイルデスクリプターを使用して前記ワイヤレス信号を復調することと
を具備する方法。
【請求項８】
前記符号化されたユーザメッセージを復号することをさらに具備する、請求項7に記載の方法。
【請求項９】
前記符号化されたユーザメッセージを逆インターリーブすることをさらに具備する、請求項7に記載の方法。
【請求項１０】
ユーザメッセージを得るために、前記符号化されたユーザメッセージを復号および逆インターリーブすることさらに具備する、請求項7に記載の方法。
【請求項１１】
前記メモリーユニットにおいて前記複数のタイル記述を記憶することをさらに具備する、請求項7に記載の方法。
【請求項１２】
前記メモリーユニットは、受信機のコンポーネントである、請求項11に記載の方法。
【請求項１３】
前記複数のタイルデスクリプターは、タイルの形、パイロットまたはパイロットクラスター位置、パイロットデスクランブリング値、パイロットクラスター逆拡散関数、変調順序、または直行層の数のうちの１つまたは複数を具備する、請求項7に記載の方法。
【請求項１４】
前記復調ステップは、パイロット抽出、チャネル推定、MRC（最大比率結合）推定、MIMO（複数入力・複数出力）推定、ビットスライス、またはソフト価値／LLR（ログ尤度比）発生のうちの１つまたは複数を具備する、請求項13に記載の方法。
【請求項１５】
ユーザメッセージを得るために、前記符号化されたユーザメッセージを復号および逆インターリーブすることをさらに具備する、請求項14に記載の方法。
【請求項１６】
複数のタイルデスクリプターを使用するタイル処理のための中央エンティティであって、
ワイヤレス信号を受信および送信するための入力／出力インターフェースと、および
ソフトウェアコードを記憶するメモリーと結合されたプロセッサーであって、前記ソフトウェアコードは、
a)時間・周波数平面において前記複数のタイルデスクリプターを定義することと、
b)記憶のために受信機に送られるべき前記複数のタイルデスクリプターを準備することと、
c)前記複数のタイルデスクリプターと関連する少なくとも1つのタイルをユーザに割り当てることと、
d)前記割り当てられた少なくとも1つのタイルを使用して前記ワイヤレス信号を前記ユーザに送信するために、前記割り当てられた少なくとも1つのタイルを送信機に通知することと
を前記プロセッサーによって実行される命令である、プロセッサーと
を具備する中央エンティティ。
【請求項１７】
前記複数のタイルデスクリプターは、タイルの形、パイロットまたはパイロットクラスター位置、パイロットデスクランブリング値、パイロットクラスター逆拡散関数、変調順序、または直交層の数のうちの１つまたは複数を具備する、請求項16に記載の中央エンティティ。
【請求項１８】
前記ワイヤレス信号は、符号化されたユーザメッセージを具備する、請求項16に記載の中央エンティティ。
【請求項１９】
前記送信機は、基地局であり、前記受信機は、移動局である、請求項18に記載の中央エンティティ。
【請求項２０】
複数のタイルデスクリプターを使用するタイル処理のための受信機であって、
符号化されたユーザメッセージを具備するワイヤレス信号を受信するための、および前記複数のタイルデスクリプターを受信するためのアンテナと、
前記複数のタイルデスクリプターを記憶するためのメモリーユニットと、および
前記メモリーユニットから前記複数のタイルデスクリプターを検索するための、および前記符号化されたユーザメッセージを得るために前記複数のタイルデスクリプターを使用して前記ワイヤレス信号を復調するためのプロセッサーと
を具備する受信機。
【請求項２１】
前記プロセッサーは、前記符号化されたユーザメッセージを復号するようにさらに構成されている、請求項20に記載の受信機。
【請求項２２】
前記プロセッサーは、前記符号化されたユーザメッセージを逆インターリーブするようにさらに構成されている、請求項20に記載の受信機。
【請求項２３】
前記プロセッサーは、ユーザメッセージを得るために、前記符号化されたユーザメッセージを復号および逆インターリーブするようにさらに構成されている、請求項20に記載の受信機。
【請求項２４】
前記複数のタイルデスクリプターは、タイルの形、パイロットまたはパイロットクラスター位置、パイロットデスクランブリング値、パイロットクラスター逆拡散関数、変調順序、または直交層の数のうちの１つまたは複数を具備する、請求項20に記載の受信機。
【請求項２５】
前記プロセッサーは、パイロット抽出、チャネル推定、MRC（最大比率結合）推定、MIMO（複数入力・複数出力）推定、ビットスライス、またはソフト価値／LLR（ログ尤度比）発生のうちの１つまたは複数を具備する、請求項24に記載の受信機。
【請求項２６】
前記プロセッサーは、ユーザメッセージを得るために、前記符号化されたユーザメッセージを復号および逆インターリーブするようにさらに構成されている、請求項25に記載の受信機。
【請求項２７】
複数のタイルデスクリプターを使用するタイル処理のための装置であって、
時間・周波数平面において前記複数のタイルデスクリプターを定義するための手段と、
記憶するために受信機に送られるべき前記複数のタイルデスクリプターを準備するための手段と、
前記複数のタイルデスクリプターと関連する少なくとも1つのタイルをユーザに割り当てるための手段と、および
前記割り当てられた少なくとも1つのタイルを使用してワイヤレス信号を前記ユーザに送信するために、前記割り当てられた少なくとも1つのタイルを送信機に通知するための手段と
を具備する装置。
【請求項２８】
前記複数のタイルデスクリプターは、タイルの形、パイロットまたはパイロットクラスター位置、パイロットデスクランブリング値、パイロットクラスター逆拡散関数、変調順序、または直交層の数のうちの１つまたは複数を具備する、請求項27に記載の装置。
【請求項２９】
前記ワイヤレス信号は、符号化されたユーザメッセージを具備する、請求項27に記載の装置。
【請求項３０】
前記送信機および前記受信機は、前記装置に対して外部にある、請求項29に記載の装置。
【請求項３１】
前記複数のデスクリプターおよび前記ワイヤレス信号を前記受信機に送信するための手段をさらに具備する、請求項27に記載の装置。
【請求項３２】
複数のタイルデスクリプターを使用してタイル処理するための装置であって、
符号化されたユーザメッセージを具備するワイヤレス信号を受信するための手段と、
メモリーユニットから前記複数のタイルデスクリプターを検索するための手段と、および
前記符号化されたユーザメッセージを得るために、前記複数のタイルデスクリプターを使用して前記ワイヤレス信号を復調するための手段と
を具備する装置。
【請求項３３】
ユーザメッセージを得るために、前記符号化されたユーザメッセージを復号および逆インターリーブするための手段をさらに具備する、請求項32に記載の装置。
【請求項３４】
前記メモリーユニットにおいて前記複数のタイル記述を記憶するための手段をさらに具備する、請求項32に記載の装置。
【請求項３５】
前記複数のタイルデスクリプターは、タイルの形、パイロットまたはパイロットクラスター位置、パイロットデスクランブリング価値、パイロットクラスター逆拡散関数、変調順序、または直交層の数のうちの１つまたは複数を具備する、請求項32に記載の装置。
【請求項３６】
前記復調するための手段は、パイロット抽出のための手段、チャネル推定のための手段、MRC（最大比率結合）推定のための手段、MIMO（複数入力・複数出力）推定のための手段、ビットスライスのための手段、またはソフト価値／LLR（ログ尤度比）発生のための手段のうちの１つまたは複数を具備する、請求項35に記載の装置。
【請求項３７】
コンピュータプログラムを有するコンピュータ可読媒体であって、少なくとも1つのプロセッサーによって実行されるとき、複数のタイルデスクリプターを使用してタイルを処理するために動作する命令を具備し、前記コンピュータプログラムは、
時間・周波数平面において前記複数のタイルデスクリプターを定義するための命令と、
記憶のために受信機に送信されるべき前記複数のタイルデスクリプターを準備するための命令と、
前記複数のタイルデスクリプターと関連する少なくとも1つのタイルをユーザに割り当てるための命令と、および
前記割り当てられた少なくとも1つのタイルを使用してワイヤレス信号を前記ユーザに送信するために、前記割り当てられた少なくとも1つのタイルを送信機に通知するための命令と
を具備する、コンピュータ可読媒体。
【請求項３８】
コンピュータプログラムを有するコンピュータ可読媒体であって、少なくとも1つのプロセッサーによって実行されるとき、複数のタイルデスクリプターを使用してタイルを処理するために動作する命令を具備し、前記コンピュータプログラムは、
符号化されたユーザメッセージを具備するワイヤレス信号を受信するための命令と、
メモリーユニットから前記複数のタイルデスクリプターを検索するための命令と、および
前記符号化されたユーザメッセージを得るために、前記複数のタイルデスクリプターを使用して前記ワイヤレス信号を復調するための命令と
を具備する、コンピュータ可読媒体。
【請求項３９】
ユーザメッセージを得るために、前記符号化されたユーザメッセージを復号および逆インターリーブするための命令をさらに具備する、請求項38に記載のコンピュータ可読媒体。
【請求項４０】
前記複数のタイルデスクリプターは、タイルの形、パイロットまたはパイロットクラスター位置、パイロットデスクランブリング価値、パイロットクラスター逆拡散関数、変調順序、または直交層の数のうちの１つまたは複数を具備する、請求項38に記載のコンピュータ可読媒体。
【請求項４１】
復調のための前記命令は、パイロット抽出のための命令、チャネル推定のための命令、MRC（最大比率結合）推定のための命令、MIMO（複数入力・複数出力）推定のための命令、ビットスライスのための命令、またはソフト価値／LLR（ログ尤度比）発生のための命令のうちの１つまたは複数を具備する、請求項40に記載のコンピュータ可読媒体。
【請求項４２】
前記送信機は、移動局であり、前記受信機は、基地局である、請求項4に記載の方法。
【請求項４３】
前記送信機は、移動局であり、前記受信機は、基地局である、請求項18に記載の中央エンティティ。
【発明の詳細な説明】
【関連出願の参照】
【０００１】
本件特許出願は、2008年3月31日に出願された「Tile Processing in Wireless Communications」という名称の仮出願61/041,235に基づいて優先権を主張するものであって、当該仮出願は、本件出願の被譲渡人に譲渡され、参照によって本件明細書に明白に組み込まれている。
【技術分野】
【０００２】
本件開示は、一般に、タイル処理のための装置および方法に関係し、より詳細には、ワイヤレス通信において予め定義されたタイルデスクリプターを使用してタイル処理することに関係する。
【背景技術】
【０００３】
ワイヤレス通信システムは、音声、データなどのような様々なタイプの通信コンテンツを提供するために広く展開されている。これらのシステムは、利用可能なシステム資源（例えば、帯域幅および送信電力）を共有することによって複数のユーザとの通信をサポートすることができる多元接続システムであってよい。そのような多元接続システムの例には、符号分割多元接続（CDMA）システム、時分割多元接続（TDMA）システム、周波数分割多元接続（FDMA）システム、3GPP LTEシステム、および直交周波数分割多元接続（OFDMA）システムが含まれる。
【０００４】
一般に、ワイヤレス多元接続通信システムは、複数のワイヤレス端末のための通信を同時にサポートすることができる。各端末は、順方向リンクおよび逆方向リンク上の送信によって、1つまたは複数の基地局と通信する。順方向リンク（またはダウンリンク）とは、基地局から端末への通信リンクをいい、逆方向リンク（またはアップリンク）とは、端末から基地局への通信リンクをいう。この通信リンクは、単一入力・単一出力（SISO）、複数入力・単一出力（MISO）、または複数入力・複数出力（MIMO）システムによって確立されることができる。
【０００５】
MIMOシステムは、データ伝送のために複数（NT個）の送信アンテナと複数（NR個）の受信アンテナを使用する。NT個の送信アンテナとNR個の受信アンテナによって形成されるMIMOチャネルは、NS個の独立チャネルに分解されることができる。独立チャネルは、空間チャネルとも呼ばれる。ここで、NS≦min｛NT，NR｝である。NS個の独立チャネルの各々は、1次元に対応する。MIMOシステムは、複数の送信アンテナと複数の受信アンテナとによって生成される追加次元が利用されると、改善されたパフォーマンス（例えば、より高いスループットおよびより高い信頼性）を提供することができる。
【０００６】
MIMOシステムは、時分割二重（TDD）システムおよび周波数分割二重（FDD）システムをサポートする。TDDシステムでは、順方向リンク送信と逆方向リンク送信が同じ周波数領域にあるので、相互性原理により逆方向リンクチャネルから順方向リンクチャネルを推定することが可能となる。このことによって、アクセスポイントは、アクセスポイントにおいて複数のアンテナが利用可能であるとき、順方向リンク上の送信ビームフォーミング利得を引き出すことができる。アクセスポイント（AP）はまた、基地局として知られており、アクセス端末（AT）または移動局（MS）へのユーザ接続を可能にするワイヤレスシステムの一部である。
【発明の概要】
【０００７】
予め定義されたタイルデスクリプターを使用してタイル処理するための装置および方法が開示される。1つの態様にしたがって、複数のタイルデスクリプターを使用してタイル処理するための方法は、時間・周波数平面において複数のタイルデスクリプターを定義することと、記憶のために受信機に送信されるべき複数のタイルデスクリプターを準備することと、複数のタイルデスクリプターと関連する少なくとも1つのタイルをユーザに割り当てることと、および割り当てられた少なくとも1つのタイルを使用してワイヤレス信号をユーザに送信するために、割り当てられた少なくとも1つのタイルを送信機に通知することとを具備する。
【０００８】
他の態様にしたがって、複数のタイルデスクリプターを使用してタイル処理するための方法は、符号化されたユーザメッセージを具備するワイヤレス信号を受信することと、メモリーユニットから複数のタイルデスクリプターを検索することと、および符号化されたユーザメッセージを得るために、複数のタイルデスクリプターを使用してワイヤレス信号を復調することとを具備する。
【０００９】
他の態様にしたがって、複数のタイルデスクリプターを使用してタイル処理するための中央エンティティは、ワイヤレス信号を受信および送信するための入力／出力インターフェースと、およびソフトウェアコードを記憶するメモリーと結合されたプロセッサーであって、ソフトウェアコードは、a)時間・周波数平面において複数のタイルデスクリプターを定義し、b)記憶のために受信機に送られるべき複数のタイルデスクリプターを準備し、c)複数のタイルデスクリプターと関連する少なくとも1つのタイルをユーザに割り当て、d)割り当てられた少なくとも1つのタイルを使用してワイヤレス信号をユーザに送信するために、割り当てられた少なくとも1つのタイルを送信機に通知するようにプロセッサーによって実行される命令である、プロセッサーとを具備する。
【００１０】
他の態様にしたがって、複数のタイルデスクリプターを使用してタイル処理するための受信機は、符号化されたユーザメッセージを具備するワイヤレス信号を受信するための、および複数のタイルデスクリプターを受信するためのアンテナと、複数のタイルデスクリプターを記憶するためのメモリーユニットと、およびメモリーユニットから複数のタイルデスクリプターを検索するための、および符号化されたユーザメッセージを得るために複数のタイルデスクリプターを使用してワイヤレス信号を復調するためのプロセッサーとを具備する。
【００１１】
他の態様にしたがって、複数のタイルデスクリプターを使用してタイル処理するための装置は、時間・周波数平面において複数のタイルデスクリプターを定義するための手段と、記憶のために受信機に送信されるべき複数のタイルデスクリプターを準備するための手段と、複数のタイルデスクリプターと関連する少なくとも1つのタイルをユーザに割り当てるための手段と、および割り当てられた少なくとも1つのタイルを使用してワイヤレス信号をユーザに送信するために、割り当てられた少なくとも1つのタイルを送信機に通知するための手段とを具備する。
【００１２】
他の態様にしたがって、複数のタイルデスクリプターを使用してタイル処理するための装置は、符号化されたユーザメッセージを具備するワイヤレス信号を受信するための手段と、メモリーユニットから複数のタイルデスクリプターを検索するための手段と、および符号化されたユーザメッセージを得るために、複数のタイルデスクリプターを使用してワイヤレス信号を復調するための手段とを具備する。
【００１３】
他の態様にしたがって、コンピュータプログラムを有するコンピュータ可読媒体は、少なくとも1つのプロセッサーによって実行されるとき、複数のタイルデスクリプターを使用してタイルを処理するために動作する命令を具備し、コンピュータプログラムは、時間・周波数平面において複数のタイルデスクリプターを定義するための命令と、記憶するために受信機に送られるべき複数のタイルデスクリプターを準備するための命令と、複数のタイルデスクリプターと関連する少なくとも1つのタイルをユーザに割り当てるための命令と、および割り当てられた少なくとも1つのタイルを使用してワイヤレス信号をユーザに送信するために、割り当てられた少なくとも1つのタイルを送信機に通知するための命令とを具備する。
【００１４】
他の態様にしたがって、コンピュータプログラムを有するコンピュータ可読媒体は、少なくとも1つのプロセッサーによって実行されるとき、複数のタイルデスクリプターを使用してタイルを処理するために動作する命令を具備し、コンピュータプログラムは、ワイヤレス信号を受信するための命令であって、ワイヤレス信号は、符号化されたユーザメッセージである、命令と、メモリーユニットから複数のタイルデスクリプターを検索するための命令と、および符号化されたユーザメッセージを得るために、複数のタイルデスクリプターを使用してワイヤレス信号を復調するための命令とを具備する。
【００１５】
本件開示の利点は、タイルを記述する効率的な方法を含む。タイルは、当該タイルデスクリプターを指すジョブデスクリプターを使用して、予め記憶され、必要に応じて参照されることができる。
【００１６】
以下の詳細な説明から、他の態様が当該技術分野の技術者に直ちに明白になることが理解される。ここにおいて、詳細な説明では、例示として様々な態様が図示および説明される。図面および詳細な説明は、本質的に例示とみなされるべきであって、制限的としてみなされるべきではない。
【図面の簡単な説明】
【００１７】
【図１】図1は、多元接続ワイヤレス通信システムの一例を例示している。
【図２】図2は、MIMOシステムにおける送信システム（アクセスポイントとしても知られている）および受信機システム（アクセス端末としても知られている）のブロック図を例示している。
【図３】図3は、時間・周波数平面におけるタイルの一例を例示している。
【図４】図4は、タイル内のUMBパイロット位置の一例を例示している。
【図５】図5は、P0、P1、P2、およびP3の4つのパイロットを図示している時間・周波数平面におけるパイロットまたはパイロットクラスター位置の一例を例示している。
【図６】図6は、予め定義されたタイルデスクリプターを使用してタイル処理をするためのフロー図の一例を例示している。
【図７】図7は、予め定義されたタイルデスクリプターを使用するタイル処理のためのプロセスを実行するためのメモリーと通信状態にあるプロセッサーを具備するデバイスの一例を例示している。
【図８】図8は、予め定義されたタイルデスクリプターを使用するタイル処理のために適したデバイスの一例を例示している。
【発明の詳細な説明】
【００１８】
添付の図面と関連して以下で述べられる詳細な説明は、本件開示の様々な態様の説明として意図されており、本件開示が実施されることができる唯一の態様を表わすようには意図されていない。本件開示において説明される各態様は、本件開示の単なる事例または例示として提供されており、必ずしも他の態様よりも好ましいまたは有利であるものとして解釈されるべきではない。詳細な説明は、本件開示の完全な理解を提供する目的のために特定の詳細を含んでいる。しかしながら、本件開示がこれらの特定の詳細によらずに実施されることができることは、当業者にとって明白である。いくつかの例において、本件開示の概念が不明瞭なものとすることを防ぐために、周知の構造およびデバイスは、ブロック図の形式で図示されている。頭文字および他の記述的用語は、単に、便宣上および明確さのために使用されてもよく、本件開示の範囲を制限するようには意図されていない。
【００１９】
説明の簡略化の目的のために、本方法は、一連の行動として図示され、説明されているが、１つまたは複数の態様にしたがって、いくつかの行動は、本件明細書において図示されおよび説明される行動とは異なる順番および／または同時に生じてもよいので、本方法は、行動の順番によって限定されるものではないということが理解されおよび認識されるべきである。例えば、本件技術分野における当業者であれば、方法が状態図のように一連の相互関係のある状態またはイベントとして代替的に表わされることができるということを理解しおよび認識するであろう。さらに、１つまたは複数の態様にしたがって方法を実装するためにすべての例示される行動が必要とされるわけではない。
【００２０】
本件明細書において説明される技術は、次のものには制限されないが、直交FDMA（OFDMA）ネットワーク、WiMaxなどのような様々なワイヤレス通信ネットワークのために使用されることができる。「ネットワーク」という語と「システム」という語は、しばしば互換的に使用される。OFDMAネットワークは、E-UTRA（Evolved UTRA）、IEEE802.11、IEEE802.16、IEEE802.20、フラッシュOFDM（商標登録）、LTE（Long Term Evolution）などのような無線技術を実装することができる。これらの様々な無線技術および基準は、当該技術分野において知られている。簡明さのために、本件技術のある態様は、以下においてLTEについて説明され、また以下の説明の多くの部分においてLTE用語が使用される。しかしながら、当業者であれば、例示的な説明が本件開示を制限するものとして解釈されるべきではないことを理解するであろう。
【００２１】
図1は、多元接続ワイヤレス通信システムの一例を例示している。図1において図示されているように、アクセスポイント100（AP）は、複数のアンテナグループを含んでおり、１つのグループは、104および106を含み、他の１つのグループは、108および110を含み、さらに別の１つのグループは、112および114を含んでいる。図1では各アンテナグループについて2つのアンテナしか示されていないが、各グループについてそれより多い数のアンテナまたはそれより少ない数のアンテナが利用されてもよい。アクセス端末116（AT）は、アンテナ112および114と通信可能な状態にあり、そこではアンテナ112および114は、順方向リンク120上においてアクセス端末116へ情報を送信し、逆方向リンク118上においてアクセス端末116から情報を受信する。アクセス端末122は、アンテナ106および108と通信可能な状態にあり、そこではアンテナ106および108は、順方向リンク126上においてアクセス端末122へ情報を送信し、逆方向リンク124上においてアクセス端末122から情報を受信する。例えば、周波数分割二重（FDD）システムでは、通信リンク118、120、124、および126は、順方向リンク120および126において、逆方向リンク118および124によって使用される周波数とは異なる周波数を使用する。
【００２２】
各々のアンテナグループおよび／またはそのグループのアンテナが通信をするよう設計されているエリアは、ときにアクセスポイントのセクターと呼ばれる。１つの態様において、各々のアンテナグループは、アクセスポイント100によってカバーされるエリアの特定のセクターのアクセス端末と通信をするように設計されている。
【００２３】
順方向リンク120および126上の通信において、アクセスポイント100の送信アンテナは、異なるアクセス端末116および122のための順方向リンクのSN比（SNR）を改善するためにビームフォーミングを利用する。また、カバレッジエリア全体にわたってランダムに散在させられているアクセス端末への送信のためにビームフォーミングを使用するアクセスポイントは、すべてのアクセス端末への送信を1つのアンテナによって行うアクセスポイントに比べて、近隣セル内のアクセス端末との間に生じる干渉が少ない。
【００２４】
当業者であるならば、アクセスポイントという用語が使用されているが、本件開示の要旨または範囲に影響を与えない範囲で、他の同様の用語がアクセスポイントの代わりに使用されることができることを理解するだろう。例えば、アクセスポイントは、アクセス端末との通信のために使用される固定局であってもよく、基地局、固定局、ノード、またはいくつかの他の同様の用語で呼ばれてもよい。同様に、本件開示の要旨または範囲に影響を与えない範囲で、アクセス端末という用語は、モバイル端末、ハンドヘルド、ユーザ設備（UE）、ワイヤレス通信デバイス、端末または他の同様の用語で等しく呼ばれてもよい。
【００２５】
図2は、MIMOシステム200における送信機システム210（アクセスポイントとしても知られている）および受信機システム250（アクセス端末としても知られている）のブロック図の一例を例示している。送信機システム210において、いくつかのデータストリームのためのトラフィックデータは、データソース212から送信（TX）データプロセッサー214に提供される。１つの態様において、各データストリームは、それぞれの送信アンテナ上で送信される。TXデータプロセッサー214は、符号化されたデータを提供するために、各データストリームのために選択された特定の符号化方式に基づいて各データストリームのためのトラフィックデータをフォーマット化、符号化、およびインターリーブする。
【００２６】
1つの態様において、各データストリームのための符号化データは、OFDM（直交周波数分割多重）技術を使用して、パイロットデータで多重化される。パイロットデータは、典型的に、既知の方法で処理される既知のデータパターンであって、チャネル応答を推定するために受信機システムにおいて使用される。各データストリームのための符号化データは、次に、変調シンボルを提供するために、各データストリームのために選択されている特定の変調方式（例えばBPSK, QSPK, M-PSK, または M-QAM）に基づいて変調（すなわちシンボルマップ）される。パイロット変調シンボルは、チャネル推定における受信機による使用のために挿入される。各データストリームのためのデータレート、符号化および変調は、プロセッサー230によって実行される命令によって決定される。
【００２７】
すべてのデータストリームのための変調シンボルは、次に、TX MIMOプロセッサー220に提供され、プロセッサー220は、変調シンボルをさらに処理する（例えばOFDMのために）。TX MIMOプロセッサー220は、次に、NT個の変調シンボルストリームをNT個の送信機（TMTR）222aないし222tに提供する。１つの例において、TX MIMOプロセッサー220は、データストリームのシンボルとそのシンボルの送信元アンテナとに対して、ビームフォーミング重みを適用する。
【００２８】
送信機222の各々は、1つまたは複数のアナログ信号を提供するためにそれぞれのシンボルストリームを受信および処理し、MIMOチャネル上での送信にふさわしい変調信号を提供するためにそのアナログ信号をさらに調整（例えば、増幅、フィルタリング、アップコンバート）する。送信機222aないし222tからのNT個の変調信号は、次に、NT個のアンテナ224aないし224tからそれぞれ送信される。
【００２９】
受信機システム250において、送信された変調信号は、NR個のアンテナ252aないし252rによって受信され、各アンテナ252からの受信信号は、それぞれの受信機（RCVR）254aないし254rに提供される。各受信機254は、サンプルを提供するためにそれぞれの受信信号を調整（例えば、フィルタリング、増幅、ダウンコンバート）し、調整された信号をデジタル化し、および対応する「受信された」シンボルストリームを提供するために、そのサンプルをさらに処理する。
【００３０】
RXデータプロセッサー260は、次に、NT個の「検出された」シンボルストリームを提供するために、特別の受信機処理技術に基づいて、NR個の受信機254からNR個の受信シンボルストリームを受信および処理する。RXデータプロセッサー260は、次に、データストリームのためのトラフィックデータを回復するために、各検出シンボルストリームを復調し、デインターリーブし、および復号する。RXデータプロセッサー260による処理は、送信機システム210においてTX MIMOプロセッサー220およびTXデータプロセッサー214によって行なわれる処理と相補的である。プロセッサー270は、どのプリコーディング・マトリックスを使用するかを周期的に決定する（下記で論じる）。プロセッサー270は、マトリックス・インデックス部分およびランク値部分を具備する逆方向リンクメッセージを公式化する。
【００３１】
逆方向リンクメッセージは、通信リンクおよび／または受信データストリームに関する様々なタイプの情報を含むことができる。逆方向リンクメッセージは、次に、TXデータプロセッサー238（プロセッサー238はまた、データソース236から多数のデータストリームのためのトラヒックデータを受信する）によって処理され、変調器280によって変調され、送信機254aないし254rによって調整され、そして送信機システム210に戻される。
【００３２】
送信機システム210において、受信機システム250によって送信された逆方向リンクメッセージを抽出するために、受信機システム250からの変調信号は、アンテナ224によって受信され、受信機222によって調整され、復調器240によって復調され、RXデータプロセッサー242によって処理される。プロセッサー230は、次に、ビームフォーミング重みを決定するためにどのプリコーディング・マトリックスを使用するかを決定し、次に、前記抽出されたメッセージを処理する。
【００３３】
1つの例において、OFDM（直交周波数分割多元接続）は、ワイヤレスシステムにおいて多元接続技術として使用される。この方式において、通信資源は、時間の離散ユニットおよび周波数の離散ユニットに分割される。例えば、時間は、サイズΔｔの離散ユニットに分割されることができ、周波数は、サイズΔfの離散ユニットに分割されることができる。一般に、OFDMのために割り当てられた通信資源は、タイルとして知られている時間・周波数平面の連続的領域から成ることができる。タイルは、例えば、M時間ユニットおよびN周波数ユニットから成ることができる。このケースにおいて、タイルは、MΔt×NΔfの次元を有する。
【００３４】
通信システムにおいて、例えば、OFDMを使用して、様々なユーザに割り当てられた通信資源は、分離されたタイルに分割されることができる。受信機において、各タイルは、受信機が、例えば、チャネル推定および後続の復調のために既知のパイロットシンボルを抽出することを許可するための関連する構造上の情報を有することができる。タイルは、異なる形またはパイロット位置を有していてもよく、異なる受信処理を要する。受信機は、適切な受信処理を可能にするためにタイル記述を提供される。
【００３５】
時間・周波数平面上で割り当てられる資源は、タイルとして知られている。1つの例において、タイルは、MΔt×NΔfの次元を有している。ここにおいて、時間ユニットは、Δtであり、周波数ユニットは、Δfである。1つの例において、時間ユニットは、シンボルとして知られており、周波数ユニットは、副搬送波として知られている。図3は、時間・周波数平面におけるタイルの一例を例示している。一般に、タイルは、時間・周波数平面において離散的領域を占有し、他のタイルと重なり合わない。さらに、1つの例において、タイル割り当ては、時間の関数として変化することができる。パイロットとして知られている特別の基準信号は、例えば、各タイルに割り当てられてもよく、および特定の時間および周波数ユニット内に割り当てられることもできる。
【００３６】
タイルは、異なる形またはパイロット位置を有していてもよく、異なる受信処理を必要とする。しかしながら、妥当な数のタイル記述は、すべての予期されるタイル形式を説明するものとして事前に記憶されることができ、次に、その記述を指すジョブデスクリプターによって、特定のタイルのために必要なときに参照されることができる。さらに、受信機処理は、異なるスケールで実行されることができる。例えば、所与のリンク（例えば、モバイルから基地局へのリンク）のための「割り当て」は、複数のタイルを具備する。割り当てに関係する情報が受信機ハードウェアにいったん供給されると、ある情報は、タイルジョブデスクリプターの形式でこれらの複数のタイルのために複製されることができる。
【００３７】
さらに、タイルは、周波数または時間のそれらの位置において相互に関係づけられてもよい。例えば、UMB（Ultra Mobile Broadband）システムにおいて、時間は、フレームに分けられ、各フレームは、8個のOFDMシンボルを具備する。これらのフレーム内において、周波数において16副搬送波、時間において8変調シンボルに分けられる領域を包含する複数のタイルが送信機において送られる。そのようなフレームのための受信機処理を１つのジョブテーブルに統合することが有効である。ジョブテーブルは、フレーム全体にわたって必要とされ得る共通パラメーター、およびそのフレーム内の個別のタイルに適用されるジョブデスクリプターを指すポインターを含む。
【００３８】
1つの例において、受信機は、受信したタイルから情報を抽出する必要がある。復調および他の操作は、誤り訂正復号に先立って実行される必要がある。例えば、パイロット抽出、チャネル推定、MRC（最大比率結合）またはMIMO（複数入力・複数出力）推定、ビットスライスまたはソフト価値／LLR（ログ尤度比）発生である。
【００３９】
1つの態様において、所与のタイルを処理するために必要とされるパラメーター（タイルデスクリプター）は、以下のうちの1つまたは複数を含むことができる。
【００４０】
・      タイルの形（M個のOFDMシンボルごとにN副搬送波）
・      パイロットまたはパイロットクラスター位置
・      パイロットデスクランブリング値
・      パイロットクラスター逆拡散関数
・      変調順序
・      直交層の数（MIMOまたは多元接続処理のため）
当該技術分野の当業者は、本件明細書において述べられたこれらのパラメーターが、事例であって、排他的なものではないことを理解するだろう。したがって、本件開示の要旨または範囲に影響を与えることのない程度に、いくつかの述べられたパラメーターは、削除されてもよく、その一方で、他のパラメーターが含まれてもよい。
【００４１】
1つの例として、UMB（Ultra Mobile Broadband）システムが考察される。タイルの形およびパイロットまたはクラスター位置というパラメーターに関して、アップリンク（つまり、逆方向リンク）において、タイル内のパイロットは、図4において図示されているように整列させられることができる。図4は、タイル内のUMBパイロット位置の一例を例示している。図4において例示されるように、タイルの形およびパイロット位置の完全な記述は、パイロットフォーマット0または1につきそれぞれインデックス0または1を通過させることによって与えられる。
【００４２】
UMB規格は、パイロットデスクランブリング値に関して、タイルのためのスクランブリングシンボルは、（fMIN-NGUARD、LEFT）／NBLOCKと等しくなければならないタイルインデックスTに拠ることを述べている。ここにおいて、fMINは、そのタイルにおいて最も低いインデックス副搬送波である。インデックスSFIndを備えるスーパーフレームにおける任意の物理フレーム内のインデックスTを備えるタイルの場合、共通の複素数スクランブリング・アルゴリズムを使用して複素数スクランブリング・シーケンスが生成される。複素数スクランブリング・シーケンスにおけるk番目のシンボルc(k)は、逆方向専用パイロットチャネルインデックスkを備える逆方向専用パイロットチャネル副搬送波をスクランブルするために使用される。スクランブリング操作は、スクランブリングシンボルc(k)を備える副搬送波上でスクランブルされていない複素数シンボルを掛けることから成る。
【００４３】
すなわち、デスクランブリング値は、フレーム内のタイルインデックスTの関数であり、すべてのタイル上で共通であるSectorSeedである。したがって、SectorSeedを例えばフレームごとに一度送るとともに、タイルデスクリプターとしてタイルインデックスTを含むことにより、パイロットデスクランブリング・シーケンスの再生が可能になる。
【００４４】
UMB規格は、パイロットクラスター逆拡散関数に関して以下のことを述べている。
【００４５】
パイロットフォーマット0の場合
OFDMシンボルインデックスtにおけるすべての逆方向専用パイロットチャネル変調シンボルの複素数値は、次によって与えられる。
【数１】
2011518498.tif 000003
【００４６】
ここで、jは、複素数（0, 1）を示し、PODCHは、タイルにおける逆方向OFDMAデータチャネルによる変調シンボルあたりのエネルギーを示す。
【００４７】
パイロットフォーマット1の場合
OFDMシンボルインデックスtにおけるすべての逆方向専用パイロットチャネル変調シンボルの複素数値は、次によって与えられる。
【数２】
2011518498.tif 000004
【００４８】
すなわち、逆拡散値Stは、フレーム内のシンボル数tの関数であり、CodeOffset数である。したがって、タイルデスクリプターは、CodeOffsetを伝えられることができる。逆拡散関数は、再生されることができる。MIMOまたは多元接続（例えば、QORL準直交逆方向リンク）処理のケースの場合、そのリンクのために使用される複数のCodeOffsetsのテーブルが伝えられる。
【００４９】
1つの例において、CodeOffsetsテーブルは、（MIMO処理または多元接続処理のために）いくつかの直交層の数に関する情報を、現に存在する直交層の数として、直接的に提供する。
【００５０】
例えば、UMBシステムにおいて、b2b1b0としてフォーマットされる3ビットのベクトルが伝えられることができる。ここにおいて、任意の1は、当該コードオフセットが処理されるべきであることを示す。例えば、b2b1b0 = 101は、a)MIMOまたは多元接続が送られること、b)層（CodeOffsets）0および2を処理すること、およびc)各層のためのシンボルの要求されたMIMOまたは多元接続推定を実行することを示すことになる。例えば、b2b1b0 = 100は、a)CodeOffset2が送られること、b)MRC（最大比率結合）推定を実行する（複数受信アンテナの場合）こと、およびc)信号層のための受信シンボルを推定することを示すことになる。
【００５１】
例えば、変調順序に関して、UMBにおいて、パケットフォーマットに関係していくつかの異なる配列が採用される。パケットフォーマットはまた、混成自動再送要求（H-ARQ）パラメーターおよび復号パラメーターを含む。タイルのためにLLR値を生成するために、デスクリプターは、MRCまたはMIMO処理の後に抽出された変調シンボルがQPSK、8-PSK、16-QAM、または64-QAMとして解釈されるべきかどうかを示すソフト復号ユニット（スライサー）に送られる。したがって、単一数0ないし3は、配列タイプを列挙するために送られる。
【００５２】
他の一例において、通信受信機において、時間および周波数において分離された領域は、チャネル条件の推定を決定するために処理される。推定されることを必要とする他のパラメーター（例えば、時間および周波数オフセットおよび時間および周波数における変動性）は、時間および周波数におけるチャネルについての分離されていない完全な情報が利用可能であるとき、正常に推定される。
【００５３】
UMB受信機において、タイル、すなわち、周波数における連続的OFDM副搬送波および時間におけるOFDMシンボルの領域は、そのタイル内のすべての変調シンボルについてチャネル条件を推定するために使用されるパイロットシンボルを含む。これらのタイル推定の各々から追加のパラメーターが導き出される（例えば、時間にわたるチャネル位相における変化および周波数にわたるチャネル位相における変化の推定、およびタイルにわたる周波数選択性の推定）。
【００５４】
タイルのための時間および周波数にわたるチャネル位相の変化の推定は、例えば、多くのタイルにわたる統合のために、および通信リンク（つまり、特定のモバイルから基地局へのリンク）のための時間および周波数オフセット全体を推定するために、DPLL（デジタル位相ロックされたループ）に送り込まれることができる。これらの時間および周波数オフセット全体は、次に、例えば、オフセット推定されたものと反対のシフトを提供するNCO（数値制御発振器）によるフィードバック方法で補償されることができる。
【００５５】
周波数変動性は、どのパイロットフォーマットがリンクにとって適切であるかを決定するために使用される。大きいチャネルの遅れ拡散を示す著しい周波数変動性を備えるチャネルの場合、パイロットフォーマットは、より多くの周波数サンプルを備えていることが望ましい。
【００５６】
1つの例において、サブタイルをベースに処理がなされる。ここにおいて、各サブタイルは、角における、すなわち、時間および周波数の最も高いおよび最も低いポイントにおける4つの既知のパイロットまたは既知のパイロットのクラスターによって境界を示される周波数および時間における領域である。これらの既知のパイロットまたはパイロットのクラスターに基づいて、最も高いおよび最も低い時間および周波数におけるチャネル条件の推定が得られることができる。これらの推定から、サブタイル全体にわたるチャネル条件の推定が様々な既知の手段によって導きだされることができる（例えば、MMSE（minimum mean square error）または線形補間法）。
【００５７】
受信機において周波数オフセットの推定をするために、最も低い時間から最も高い時間への位相変化が使用されることができる。同様に、受信機において時間オフセットの推定をするために、最も低い周波数から最も高い周波数への位相変更が使用されることができる。
【００５８】
図5は、P0、P1、P2、およびP3の4つのパイロットを図示している時間・周波数平面におけるパイロットまたはパイロットクラスター位置の一例を例示している。のちの時間における2つのチャネル推定、P2およびP3は、平均推定P23を決定するために平均化される。同様に、先の時間における2つのチャネル推定、P0およびP1は、平均推定P01を決定するために平均化される。
【００５９】
チャネル推定をすることにおいて、例えば、中間のポイントの値を決定するためにP01およびP23の間でいくつかの種類の線形補間法がなされるだろう。1つの態様において、位相差がとられる。例えば、単純位相差推定は、diffEst = imag(P23×P01*)をとることによって得られることができる。なお、P01*は、先の時間における複素数チャネル推定の共役複素数である。これは、diffEst = |P23| x |P01| x sin(angle(P23) − angle(P01))と等しい。これは、小さい角度の場合、ほぼdiffEst = |P23| x |P01| x (angle(P23) − angle(P01))である。このdiffEstは、次に、周波数誤りを徐々に訂正するために、例えば、DPLL（デジタル位相ロックされたループ）において使用されることができるので、diffEstの平均は、徐々にゼロに向かう傾向がある。同様に、時間オフセットを訂正するためにDPLLを導き出すために、より高い周波数チャネル推定とより低い周波数チャネル推定との間の位相差が使用されることができる。
【００６０】
他の態様において、いくつかのサブタイルにわたって推定がとられるので、周波数においていくつかのポイントが得られる。周波数にわたる変化のメトリックは、例えば、すべての周波数にわたって最も高い大きさを最も低い大きさで割ったものがとられることができる。マルチパスが存在する場合には、フェーディングチャネルにおいて、振幅は、複数の周波数においてランダムに類似するかもしれないけれども、遅れ拡散が当該周波数差上で差を生じるのに十分大きい場合、どこかのポイントで、近接周波数チャネル推定の大きさの間に大きな差があるだろう。
【００６１】
近接したパイロット周波数において十分大きいチャネル推定差が十分な規則性をもって生じる場合、外ループ・プロセッサーは、確かなチャネル推定を得るために、より多くの周波数サンプルが使用されるべきだと考えるかもしれない。この情報は、利用可能である場合、異なるパイロット周波数スペースを含む異なるパイロットフォーマット間で交換するよう使用されることができる。外ループ・プロセッサーはまた、次のように、干渉推定のために使用されることができる。タイルプロセッサーは、各タイルにおいて干渉推定を抽出することができる。外ループ・プロセッサーは、各タイルから、平均干渉レベルおよび可能性として干渉統計値を推定することができる。タイルの物理的位置（つまり、それらの周波数領域）が外ループ・プロセッサーに知られている場合、外ループ・プロセッサーはまた、副帯域ベース上で干渉および信号統計値を測定することができる。
【００６２】
時間および周波数において各々の分離した領域から抽出されるパラメーターは、チャネル推定器から外ループ・プロセッサーに伝えられる。外ループ・プロセッサーは、関心事の最終パラメーター（例えば、時間および周波数オフセットおよび変動性）を推定するために、これらの抽出されたパラメーターを統合する。
【００６３】
図6は、予め定義されたタイルデスクリプターを使用するタイル処理のためのフロー図の一例を例示している。ブロック610において、時間・周波数平面における複数のタイルデスクリプターを定義する。1つの態様において、複数のタイルデスクリプターは、以下のうちの1つまたは複数を具備する：タイルの形（例えば、M個のOFDMシンボル×N個の副搬送波）、パイロットまたはパイロットクラスター位置、パイロットデスクランブリング値、パイロットクラスター逆拡散関数、変調順序、または直交層の数（例えば、MIMOまたは多元接続処理のため）。
【００６４】
ブロック610につづいて、ブロック620において、複数のタイルデスクリプターが記憶のために受信機に送られるように準備する。1つの態様において、受信機は、メモリーユニットに結合される。ここにおいて、複数のタイルデスクリプターは、受信機による受信と同時に記憶される。メモリーユニットは、受信機のコンポーネントであってもよく、または受信機に対して外部のユニットであってもよい。ブロック620に続いて、ブロック630において、複数のタイルデスクリプターと関連する少なくとも1つのタイルをユーザに割り当てる。ブロック630に続いて、ブロック640において、割り当てられた少なくとも1つのタイルを使用して、ワイヤレス信号をユーザに送信するために、割り当てられた少なくとも1つのタイルを送信機に通知する。1つの態様において、ワイヤレス信号は、符号化されたユーザメッセージを具備する。1つの例において、中央エンティティは、ブロック610ないし640におけるステップを実行する。ここにおいて、送信機は、基地局であり、受信機は、移動局である。加えて、当該技術分野における技術者は、送信機が送信機能のみに限定されるのではなく、ツーウェイ通信を可能にする受信機能をも含み得ることを理解するだろう。同様に、受信機は、受信機能のみに限定されるのではなく、ツーウェイ通信を可能にする送信機能をも含み得る。
【００６５】
ブロック645において、送信機は、複数のデスクリプターを受信機に送信し、ワイヤレス信号を受信機に送信する。当該技術分野の技術者は、複数のデスクリプターおよびワイヤレス信号が並行または一連で送られてもよく、送信の順序は、重要ではないことを理解するだろう。
【００６６】
ブロック650において、受信機は、ワイヤレス信号を受信する。ブロック650に続いて、ブロック660において、記憶装置（例えば、メモリーユニット）から複数のタイルデスクリプターを検索する。ブロック660に続いて、ブロック670において、符号化されたユーザメッセージを得るために複数のタイルデスクリプターを使用してワイヤレス信号を復調する。1つの態様において、復調ステップは、次のうちの1つまたは複数を具備する：パイロット抽出、チャネル推定、MRC（最大比率結合）推定、MIMO（複数入力・複数出力）推定、ビットスライスまたはソフト価値／LLR（ログ尤度比）発生。
【００６７】
ブロック670に続いて、ブロック680において、符号化されたユーザメッセージを復号する。ブロック670に続いて、ブロック685において、符号化されたユーザメッセージを逆インターリーブする。当該技術分野の技術者ならば、ブロック680および685が並行のステップとして図示されているけれども、復号および逆インターリーブステップの順番は、本件開示の要旨および範囲に影響を与えることのない程度に、アプリケーション、システム・パラメーター、操作上の考慮、および／またはユーザ選択によって設定されることができることを理解するだろう。したがって、本件開示の要旨および範囲に影響を与えることのない範囲で、1つの例において、復号ステップは、逆インターリーブステップに先行し、他の一例において、逆インターリーブステップは、復号ステップに先行する。ブロック680および685に続いて、ブロック690において、復号および逆インターリーブされたユーザメッセージからユーザメッセージを得る。
【００６８】
1つの態様において、受信機は、ブロック650ないしブロック690におけるステップを実行する。1つの例において、受信機は、ワイヤレス信号および複数のタイルデスクリプターを受信するためのアンテナを具備する。また、受信機は、複数のタイルデスクリプターを記憶するためのメモリーユニットと、およびメモリーユニットから複数のタイルデスクリプターを検索し、および符号化されたユーザメッセージを得るために複数のタイルデスクリプターを使用してワイヤレス信号を復調するためのプロセッサーとをさらに具備する。
【００６９】
当業者であれば、図6におけるフロー図の一例において開示されたステップは、本件開示の範囲および要旨から逸脱することなく、それらの順番において置き換えることができることを理解するだろう。また、当業者であれば、フロー図において例示されたステップは、排他的ではなく、本件開示の範囲および要旨に影響を与えることのない程度で、フロー図の一例において他のステップが含まれてもよく、または1つまたは複数のステップが削除されてもよいことを理解するだろう。
【００７０】
ハードウェア、ファームウェア、およびソフトウェアの間のこの互換性を明白に例示するために、様々な例示的なコンポーネント、ブロック、モジュール、回路および／またはステップは、上記においてその機能性の観点から一般的に説明されてきた。ハードウェア、ファームウェア、およびソフトウェアの間のこの互換性を明白に例示するために、様々な例示的なコンポーネント、ブロック、モジュール、回路および／またはステップは、上記においてその機能性の観点から一般的に説明されてきた。そのような機能性がハードウェア、ファームウェア、またはソフトウェアとして実装されるかは、特定のアプリケーション、およびシステム全体に課される設計上の制約に依存する。当業者は、各々の特定のアプリケーションについて、開示されている機能性を異なる手段において実装することができる。しかし、そのような実装が発明の範囲または要旨からの逸脱を引き起こすものと解釈されてはならない。
【００７１】
例えば、ハードウェア実装の場合、処理ユニットは、特定用途集積回路（ASIC）、デジタル信号プロセッサー（DSP）、デジタル信号処理デバイス（DSPD）、プログラム可能論理デバイス（PLD）、フィールドプログラム可能ゲートアレー（FPGA）、プロセッサー、コントローラー、マイクロコントローラー、マイクロプロセッサー、本件明細書において説明された機能を実行するように設計されている他の電子的ユニット、またはこれらの組み合わせのうちの1つまたは複数内で実装されてもよい。ソフトウェアに関して、本件明細書において説明された機能を実行するモジュール（例えば、手順、機能など）を通して実装されてもよい。ソフトウェアコードは、メモリーユニットに記憶され、プロセッサーユニットによって実行されてもよい。加えて、本件明細書において説明された様々な例示的フロー図、論理ブロック、モジュールおよび／またはアルゴリズムステップはまた、当該技術分野において知られている任意のコンピュータ可読媒体上で伝搬されるコンピュータ可読命令として符号化されていてもよく、または当該技術分野において知られている任意のコンピュータプログラムプロダクトにおいて実装されてもよい。
【００７２】
1つまたは複数の事例において、本件明細書において説明されたステップまたは機能性は、ハードウェア、ソフトウェア、ファームウェア、または任意のこれらの組み合わせにおいて実装されることができる。ソフトウェアにおいて実装される場合、この機能性は、コンピュータ可読媒体上の1つまたは複数の命令またはコードとして記憶または送信されることができる。コンピュータ可読媒体は、ある所から他の所へのコンピュータプログラムの転送を容易にする任意の媒体を含むコンピュータ記憶媒体および通信媒体の両方を含む。記憶媒体は、コンピュータによってアクセスされることができる任意の利用可能な媒体であることができる。例として、次のものには制限されないが、そのようなコンピュータ可読媒体は、RAM、ROM，EEPROM、CD-ROM、または他の光ディスク記憶装置、磁気ディスク記憶または他の磁気記憶デバイス、またはコンピュータによってアクセスされることができる、命令またはデータ構造の形式で所望のプログラムコードを搬送または記憶するために使用されることができる任意の他の媒体を具備することができる。また、任意の接続がコンピュータ可読媒体と適切に呼ばれる。例えば、ソフトウェアが、同軸ケーブル、光ファイバーケーブル、より対線、デジタル加入者ライン（DSL）、またはワイヤレス技術（例えば、赤外線、無線、および電磁波）を使用して、ウェブサイト、サーバー、または他の遠隔ソースから送信される場合、当該同軸ケーブル、光ファイバーケーブル、より対線、ＤＳＬ、またはワイヤレス技術（例えば、赤外線、無線、および電磁波）は、媒体の定義に含まれる。本件明細書において使用されるように、ディスク（diskおよびdisc）は、コンパクトディスク（CD）、レーザーディスク（登録商標）、光ディスク、デジタル汎用ディスク（DVD）、フレキシブルディスク、およびブルーレイ（登録商標）ディスクを含む。ここにおいて、ディスク（disc）がレーザーにより光学的にデータを再生するのに対し、ディスク（disk）は、磁気的にデータを通常再生する。上記の組み合わせはまた、コンピュータ可読媒体の範囲内に含まれるべきである。
【００７３】
1つの例において、本件明細書において説明された例示的構成要素、フロー図、論理ブロック、モジュールおよび／またはアルゴリズムステップは、1つまたは複数のプロセッサーによって実装または実行される。1つの態様において、プロセッサーは、本件明細書において説明された様々なフロー図、論理ブロックおよび／またはモジュールを実装または実行するためのプロセッサーによって実行されるべきデータ、メタデータ、プログラム命令などを記憶するメモリーと結合される。図7は、予め定義されたタイルデスクリプターを使用するタイル処理のためのプロセスを実行するためのメモリー720と通信状態にあるプロセッサー710を具備するデバイス700の一例を例示している。1つの例において、デバイス700は、図6において例示されたアルゴリズムを実装するために使用される。1つの態様において、メモリー720は、プロセッサー710内に位置される。他の態様において、メモリー720は、プロセッサー710の外部である。1つの態様において、プロセッサーは、本件明細書において説明された様々なフロー図、論理ブロックおよび／またはモジュールを実装または実行するための回路を含む。
【００７４】
図8は、予め定義されたタイルデスクリプターを使用するタイル処理のために適したデバイス800の一例を例示している。1つの態様において、デバイス800は、ブロック810、820、830、840、845、850、860、870、880、885、および890において、本件明細書において説明されたような予め定義されたタイルデスクリプターを使用するタイル処理のために構成されている1つまたは複数のモジュールを具備する少なくとも1つのプロセッサーによって実装される。例えば、各モジュールは、ハードウェア、ファームウェア、ソフトウェア、またはこれらの任意の組み合わせを具備する。1つの態様において、デバイス800はまた、少なくとも1つのプロセッサーと通信状態にある少なくとも1つのメモリーによって実装される。
【００７５】
開示された態様の前述の説明は、当該技術分野の技術者が本件開示を作成または使用することができるように提供される。これらの態様に対する様々な変更は、当該技術者に直ちに明白になり、本件明細書において定義された一般原則は、本件開示の要旨または範囲から逸脱しない程度に他の態様に提供されることができる。
【図１】
2011518498.tif 000005
【図２】
2011518498.tif 000006
【図３】
2011518498.tif 000007
【図４】
2011518498.tif 000008
【図５】
2011518498.tif 000009
【図６】
2011518498.tif 000010
【図７】
2011518498.tif 000011
【図８】
2011518498.tif 000012
【国際調査報告】
2011518498.tif 000013